(57)【要約】【課題】  外輪の軌道面の高周波焼入れによる熱影響で、その軌道面間に位置する肩部の内径面に付着したスケールが脱落することを未然に防止する。【解決手段】  内周に複列の軌道面１０，１１が形成された外輪１と、その外輪１の軌道面１０，１１と対向する軌道面５，９が外周に形成されたハブ輪１および内輪２と、前記外輪４とハブ輪１および内輪２のそれぞれの軌道面間に介装された複列の転動体３とを備え、外輪４の軌道面１０，１１を高周波焼入れにより硬化させてその軌道面１０，１１に硬化層１６，１７を形成した車輪用軸受装置において、外輪４の複列の軌道面１０，１１間に位置する肩部２１の内径面２２を研削仕上げする。【選択図】  図１
2005325903.tif 000002
【特許請求の範囲】
【請求項１】
内周に複列の軌道面が形成された外方部材と、その外方部材の軌道面と対向する軌道面が外周に形成された内方部材と、前記外方部材と内方部材のそれぞれの軌道面間に介装された複列の転動体とを備え、前記外方部材の軌道面を高周波焼入れにより硬化させて前記軌道面に硬化層を形成した車輪用軸受装置において、前記外方部材の複列の軌道面間に位置する肩部の内径面を研削仕上げしたことを特徴とする車輪用軸受装置。
【請求項２】
前記内方部材は、複列の軌道面のうちの一方の軌道面および小径段部を外周面に形成したハブ輪と、前記小径段部に嵌合され、複列の軌道面のうちの他方の軌道面を外周面に形成した内輪で構成されている請求項１に記載の車輪用軸受装置。
【請求項３】
前記内方部材は、複列の軌道面のうちの一方の軌道面を形成したハブ輪と、そのハブ輪の端部に突き合わされ、複列の軌道面のうちの他方の軌道面を形成した肩部を持つ等速自在継手の外側継手部材とで構成されている請求項１に記載の車輪用軸受装置。
【請求項４】
前記ハブ輪の軌道面の近接部位の外径面を研削仕上げした請求項２又は３に記載の車輪用軸受装置。
【請求項５】
前記複列の軌道面のうち、少なくとも一つの列の軌道面の断面における肩の高い方の縁部に、軌道面の断面を構成する円弧状の曲線から滑らかに続き、かつ、その曲線よりも曲率の小さな曲線または直線からなる断面形状を有する補助軌道面を設けた請求項１〜４のいずれか一項に記載の車輪用軸受装置。
【請求項６】
内周に複列の軌道面が形成された外方部材と、その外方部材の軌道面と対向する軌道面が外周に形成された内方部材と、前記外方部材と内方部材のそれぞれの軌道面間に介装された複列の転動体とを備え、前記外方部材の軌道面を高周波焼入れにより硬化させる車輪用軸受装置の製造方法において、前記外方部材の軌道面の高周波焼入れ後、外方部材の複列の軌道面間に位置する肩部の内径面を研削仕上げすることを特徴とする車輪用軸受装置の製造方法。
【請求項７】
前記肩部の内径面の研削仕上げを外輪の軌道面の研削仕上げと同時に行う請求項６に記載の車輪用軸受装置の製造方法。
【発明の詳細な説明】
【技術分野】
【０００１】
本発明は車輪用軸受装置及びその製造方法に関し、詳しくは、自動車の懸架装置に対して車輪を回転自在に支持する車輪用軸受装置及びその製造方法に関する。
【背景技術】
【０００２】
自動車の懸架装置に対して車輪を回転自在に支持する車輪用軸受装置は、例えば、ハブ輪、内輪、複列の転動体、外輪を主要な構成要素としている。
【０００３】
前述のハブ輪は、その外周面にアウトボード側の軌道面が形成されると共に、車輪を取り付けるためのフランジを備えている。このフランジの円周方向等間隔に、ホイールを固定するためのハブボルトが植設されている。また、ハブ輪のインボード側に形成された小径段部に内輪を嵌合させ、この内輪の外周面にインボード側の軌道面が形成されている。内輪は、クリープを防ぐために適当な締め代をもって圧入されている。車両のアウトボード側に位置する軌道面とインボード側に位置する軌道面とで複列の軌道面を構成する。
【０００４】
外輪は、内周面にハブ輪および内輪の軌道面と対向する複列の軌道面が形成され、外周面に車体に取り付けるためのフランジを備えている。ハブ輪および内輪の軌道面と外輪の複列の軌道面との間に複列の転動体が組み込まれている。車輪軸受の両端開口部、つまり、ハブ輪および内輪の外周面と外輪の内周面との間にはシールが配設され、内部に充填されたグリースの漏洩ならびに外部からの水や異物の侵入を防止するようになっている。
【０００５】
前述した外輪は、転動疲労寿命や強度の向上を図るため、外輪の軌道面を高周波焼入れにより硬化させている。従来の車輪用軸受装置では、機械構造用炭素鋼（Ｓ４０Ｃ〜Ｓ７０Ｃ等）から鍛造により製作された外輪を、その外側形状が最終形状となるように旋削加工により仕上げ、その後、最終仕上げ形状の外輪を高周波焼入れ焼戻しすることにより、その軌道面に硬化層を形成する。なお、外輪は、前述の高周波焼入れ後にその軌道面の研削仕上げが施される。
【発明の開示】
【発明が解決しようとする課題】
【０００６】
ところで、従来の車輪用軸受装置では、前述したように転動疲労寿命や強度の向上を図るため、外輪の軌道面を高周波焼入れにより硬化させている。この高周波焼入れにより硬化処理された外輪では、その軌道面に近接する部位、つまり、複列の軌道面間に位置する肩部にも、前述の高周波焼入れによる熱影響が及び、その肩部の内径面にスケール（炭化物）が付着することがある。ここで、スケールとは、金属の表面に生成している酸化被膜（黒錆）の総称であり、鉄鋼の熱処理時に表面に生じる黒い強固な被膜を意味する。
【０００７】
このように外輪の複列の軌道面間に位置する肩部の内径面にスケールが付着すると、軸受装置の回転中にそのスケールが脱落し、軸受装置の内部に封入されている潤滑油（グリース）に混入して軌道面に入り込み、振動や騒音の発生原因となる。
【０００８】
そこで、本発明は前記問題点に鑑みて提案されたもので、その目的とするところは、外輪の軌道面の高周波焼入れによる熱影響で、その軌道面間に位置する肩部の内径面に付着したスケールが脱落することを未然に防止し得る車輪用軸受装置及びその製造方法を提供することにある。
【課題を解決するための手段】
【０００９】
前述の目的を達成するための技術的手段として、本発明に係る車輪用軸受装置は、内周に複列の軌道面が形成された外方部材と、その外方部材の軌道面と対向する軌道面が外周に形成された内方部材と、前記外方部材と内方部材のそれぞれの軌道面間に介装された複列の転動体とを備え、前記外方部材の軌道面を高周波焼入れにより硬化させて前記軌道面に硬化層を形成した車輪用軸受装置において、前記外方部材の複列の軌道面間に位置する肩部の内径面を研削仕上げしたことを特徴とする。
【００１０】
また、本発明に係る車輪用軸受装置の製造方法は、内周に複列の軌道面が形成された外方部材と、その外方部材の軌道面と対向する軌道面が外周に形成された内方部材と、前記外方部材と内方部材のそれぞれの軌道面間に介装された複列の転動体とを備え、前記外方部材の軌道面を高周波焼入れにより硬化させる車輪用軸受装置の製造方法において、前記外方部材の軌道面の高周波焼入れ後、外方部材の複列の軌道面間に位置する肩部の内径面を研削仕上げすることを特徴とする。なお、肩部の内径面の研削仕上げは、外輪の軌道面の研削仕上げと同時に行うことが可能である。このように肩部の内径面の研削仕上げと外輪の軌道面の研削仕上げを同時に行えば、工数増加を招くことはない。
【００１１】
本発明では、転動疲労寿命や強度の向上を図るため、外方部材の軌道面を高周波焼入れにより硬化させているが、その外方部材の軌道面の高周波焼入れ後に、外方部材の複列の軌道面間に位置する肩部の内径面を研削仕上げする。このようにすれば、外方部材の軌道面の高周波焼入れによる熱影響で、その軌道面間に位置する肩部の内径面にスケールが付着しても、その付着したスケールを研削仕上げにより除去することができるので、スケールに起因する不具合が発生することはない。
【００１２】
なお、前述の構成おける内方部材としては、複列の軌道面のうちの一方の軌道面および小径段部を外周面に形成したハブ輪と、前記小径段部に嵌合され、複列の軌道面のうちの他方の軌道面を外周面に形成した内輪で構成された三世代の車輪用軸受装置に適用可能である。また、複列の軌道面のうちの一方の軌道面を形成したハブ輪と、そのハブ輪の端部に突き合わされ、複列の軌道面のうちの他方の軌道面を形成した肩部を持つ等速自在継手の外側継手部材とで構成された四世代の車輪用軸受装置にも適用可能である。
【００１３】
この三世代または四世代の車輪用軸受装置の場合、前述した外方部材と同様、転動疲労寿命や強度を向上させる目的から、内方部材のハブ輪に形成された軌道面についても高周波焼入れにより硬化させるようにしている。そのため、このハブ輪の軌道面の近接部位の外径面を研削仕上げすることが望ましい。
【００１４】
このようにすれば、ハブ輪の軌道面の高周波焼入れによる熱影響で、その軌道面の近接部位の外径面にスケールが付着しても、その付着したスケールを研削仕上げにより除去することができるので、スケールに起因する不具合が発生することはない。
【００１５】
また、前述の構成において、複列の軌道面のうち、少なくとも一つの列の軌道面の断面における肩の高い方の縁部に、軌道面の断面を構成する円弧状の曲線から滑らかに続き、かつ、その曲線よりも曲率の小さな曲線または直線からなる断面形状を有する補助軌道面を設けた構造が望ましい。
【００１６】
このようにすれば、軸受に大きなモーメント荷重が負荷されて接触角が増大した時に、接触楕円は軌道面から補助軌道面へはみ出すことになる。この補助軌道面は、軌道面の断面を構成する円弧状の曲線から滑らかに続き、かつ、その曲線よりも曲率の小さな曲線または直線からなる断面形状を有するため、接触楕円が補助軌道面からはみ出しても、エッジロードが発生することはない。
【発明の効果】
【００１７】
本発明によれば、外方部材の軌道面を高周波焼入れにより硬化させて前記軌道面に硬化層を形成した車輪用軸受装置において、前記外方部材の複列の軌道面間に位置する肩部の内径面を研削仕上げしたことにより、外方部材の軌道面の高周波焼入れによる熱影響で、その軌道面間に位置する肩部の内径面にスケールが付着しても、その付着したスケールを研削仕上げにより除去することができるので、スケールに起因する不具合が発生することはない。
【発明を実施するための最良の形態】
【００１８】
図１に示す実施形態は、内方部材であるハブ輪１と内輪２、複列の転動体３、外方部材である外輪４を主要な構成要素とする三世代の車輪用軸受装置である。
【００１９】
ハブ輪１は、その外周面にアウトボード側の軌道面５が形成されると共に、車輪（図示せず）を取り付けるためのフランジ６を備えている。このフランジ６の円周方向等間隔に、ホイールを固定するためのハブボルト７が植設されている。また、ハブ輪１のインボード側に形成された小径段部８に内輪２を嵌合させ、この内輪２の外周面にインボード側の軌道面９が形成されている。内輪２は、クリープを防ぐために適当な締め代をもって圧入され、脱落防止のため、ハブ輪１の小径段部８の端部を直径方向外側に加締めることによりハブ輪１に固定されている。
【００２０】
このようにして、車両のアウトボード側に位置する軌道面５とインボード側に位置する軌道面９とで複列の軌道面を構成する。ここで、アウトボード側とは、車輪用軸受装置を車体に取り付けた状態で、車体の外部になる側をいい、図１では左側をいう。また、インボード側とは、車体の内部になる側をいい、図１では右側をいう。
【００２１】
外輪４は、内周面にハブ輪１および内輪２の軌道面５，９と対向する複列の軌道面１０，１１が形成され、車体に取り付けるためのフランジ１２（図２参照）を備えている。ハブ輪１および内輪２の軌道面５，９と外輪４の複列の軌道面１０，１１との間に複列の転動体３が組み込まれている。この軸受装置では、複列のアンギュラ玉軸受とされ、各軌道面１０，５と１１，９は、接触角θが背面合わせとなるように形成されている。接触角θは、例えば１０〜４５°の範囲とされる。外輪１の両端部内径には、車輪軸受の両端開口部、つまり、ハブ輪１および内輪２の外周面と外輪４の内周面との間を閉塞するシール１３，１４が装着され、内部に充填されたグリースの漏洩ならびに外部からの水や異物の侵入を防止するようになっている。
【００２２】
この実施形態における車輪用軸受装置では、転動疲労寿命や強度の向上を図るため、外輪４の軌道面１０，１１を高周波焼入れ焼戻しにより硬化させる。つまり、機械構造用炭素鋼（Ｓ４０Ｃ〜Ｓ７０Ｃ等）から鍛造により製作された外輪４を、その外側形状が最終形状となるように旋削加工により仕上げ、その後、最終仕上げ形状の外輪４を高周波焼入れ焼戻しすることにより、その軌道面１０，１１に硬化層１６，１７を形成する。この外輪４は、前述の高周波焼入れ後にその軌道面１０，１１の研削仕上げが行われる。
【００２３】
この時、外輪４の複列の軌道面１０，１１間に位置する肩部２１の内径面２２も研削仕上げする。このように外輪４の複列の軌道面１０，１１間に位置する肩部２１の内径面２２を研削仕上げすれば、外輪４の軌道面１０，１１の高周波焼入れによる熱影響で、その軌道面１０，１１の近接部位である肩部２１の内径面２２にスケールが付着しても、その付着したスケールを研削仕上げにより除去することができるので、スケールに起因する不具合が発生することはない。
【００２４】
この研削仕上げは、図２（ａ）に示すような加工砥石２３を用いることにより、軌道面１０，１１と肩部２１の内径面２２を同時に研削すればよい。この研削仕上げ工程では、外輪４を回転自在なベース２４に同軸的に装着すると共に、軌道面１０，１１を加工する第一の研削面２５，２６と肩部２１の内径面２２を加工する第二の研削面２７を有する加工砥石２３を外輪４およびベース２４と偏心させて回転自在に配置し、外輪４と加工砥石２３を相互に正逆反対方向に回転させることにより研削仕上げが行われる。このような加工砥石２３により、軌道面１０，１１と肩部２１の内径面２２を同時に研削すれば、肩部２１の研削仕上げ工程を軌道面１０，１１の研削仕上げ工程とは別に設ける必要がないので、工数増加を招くことはない。
【００２５】
なお、図２（ｂ）は従来の車輪用軸受装置において、外輪４の軌道面１０，１１を研削仕上げする際に使用する加工砥石２３’を示す。同図（ａ）に示す実施形態の加工砥石２３と比較すると、同図（ｂ）に示す従来の加工砥石２３’では、外輪４の軌道面１０，１１を加工する第一の研削面２５，２６のみを有し、外輪４の軌道面１０，１１間に位置する肩部２１の内径面２２を加工する第二の研削面を有しない。
【００２６】
また、この三世代の車輪用軸受装置では、図１に示すようにハブ輪１のシール１３のシール面からアウトボード側の軌道面５および小径段部８に至る領域についても高周波焼入れにより硬化させてその領域に硬化層１８を形成している。なお、内輪２は軸受鋼でいわゆるズブ焼されている。この硬化層１８の形成により、車輪用軸受装置の転動疲労寿命や強度の向上を図るようにしている。
【００２７】
このハブ輪１についても、前述の高周波焼入れ後にその軌道面５の研削仕上げが行われる。この時、ハブ輪１の軌道面５の近接部位、つまり、その軌道面５と小径段部８間に位置するカウンタ部２８の外径面２９を研削仕上げする。このようにハブ輪１のカウンタ部２８の外径面２９を研削仕上げすれば、ハブ輪１の軌道面５の高周波焼入れによる熱影響で、その軌道面５の近接部位であるカウンタ部２８の外径面２９にスケールが付着しても、その付着したスケールを研削仕上げにより除去することができるので、スケールに起因する不具合が発生することはない。
【００２８】
この研削仕上げは、図３（ａ）に示すような加工砥石３０を用いることにより、軌道面５とカウンタ部２８の外径面２９を同時に研削すればよい。この研削仕上げ工程では、ハブ輪１を回転自在なベース３１に同軸的に装着すると共に、軌道面５を加工する第一の研削面３２とカウンタ部２８の外径面２９を加工する第二の研削面３３を有する加工砥石３０をハブ輪１およびベース３１に対して回転自在に傾斜配置し、ハブ輪１と加工砥石３０を相互に正逆反対方向に回転させることにより研削仕上げが行われる。このような加工砥石３０により、軌道面５とカウンタ部２８の外径面２９を同時に研削すれば、カウンタ部２８の研削仕上げ工程を軌道面５の研削仕上げ工程とは別に設ける必要がないので、工数増加を招くことはない。
【００２９】
なお、図３（ｂ）は従来の車輪用軸受装置において、ハブ輪１の軌道面５を研削仕上げする際に使用する加工砥石３０’を示す。同図（ａ）に示す実施形態の加工砥石３０と比較すると、同図（ｂ）に示す従来の加工砥石３０’では、ハブ輪１の軌道面５を加工する第一の研削面３２のみを有し、ハブ輪１の軌道面５に近接するカウンタ部２８の外径面２９を加工する第二の研削面を有しない。
【００３０】
図１に示す三世代の車輪用軸受装置は従動輪用のものであるが、駆動輪用にも適用可能であり、この駆動輪用の車輪用軸受装置についても、外輪の複列の軌道面を高周波焼入れにより硬化させ、その軌道面に硬化層を形成した後、複列の軌道面間に位置する肩部の内径面を研削仕上げすればよい。また、ハブ輪の軌道面を高周波焼入れにより硬化させ、その軌道面と近接するカウンタ部の外径面を研削仕上げすればよい。
【００３１】
また、図４および図５に示す二世代の車輪用軸受装置にも適用可能である。図４に示す車輪用軸受装置は内輪回転タイプであり、図５に示す車輪用軸受装置は外輪回転タイプである。これら両タイプの車輪用軸受装置についても、外輪１０４（２０４）の複列の軌道面１１０，１１１（２１０，２１１）を高周波焼入れにより硬化させ、その軌道面１１０，１１１（２１０，２１１）に硬化層１１６，１１７（２１６，２１７）を形成した後、複列の軌道面１１０，１１１（２１０，２１１）間に位置する肩部１２１（２２１）の内径面１２２（２２２）を研削仕上げすればよい。なお、図４において、図１と同一または相当部分には図１の符号に１００を加算した符号を付し、図５において、図１と同一または相当部分には図１の符号に２００を加算した符号を付し、重複説明は省略する。
【００３２】
さらに、以下のような補助軌道面を有する図６〜図８の車輪用軸受装置にも適用可能である。図６は、図１に示す三世代の車輪用軸受装置に適用した例であり、図７は、図４に示す二世代（内輪回転タイプ）の車輪用軸受装置に適用した例であり、図８は、図５に示す二世代（外輪回転タイプ）の車輪用軸受装置に適用した例である。
【００３３】
図９は、図６に示す車輪用軸受装置におけるインボード側に位置する軌道面１１，９を拡大して示す。なお、アウトボード側に位置する軌道面１０，５についても同様であり、図７および図８の車輪用軸受装置についても同様であるため、重複説明は省略する。
【００３４】
図９に示すように軌道面１１，９の断面における肩の高い方の縁部には、軌道面１１，９の断面を構成する円弧状の曲線ａ，ｂから滑らかに続き、直線からなる断面形状を有する補助軌道面１１ａ，９ａが設けられている。ここでは、補助軌道面１１ａ，９ａの断面形状は、曲線ａ，ｂの接線となる直線とされている。また、各軌道面１１，９には、補助軌道面１１ａ，９ａの縁部に続く円弧状断面形状の面取り部１１ｂ，９ｂが形成されている。
【００３５】
この構成の軸受装置によると、補助軌道面１１ａ，９ａを設けたため、軸受にモーメント荷重が負荷されて接触角θが増大したときに、接触楕円（図示せず）は軌道面１１，９から補助軌道面１１ａ，９ａにはみ出すことになる。しかし、この補助軌道面１１ａ，９ａは、軌道面１１，９の断面を構成する曲線ａ，ｂから滑らかに続き、かつ、直線からなる断面形状を有するため、接触楕円が補助軌道面１１ａ，９ａにはみ出しても、エッジロードが発生することはない。
【００３６】
また、補助軌道面１１ａ，９ａは直線からなるため、外輪４の内径を小さく、あるいは内輪２の外径を大きく設定しても、円弧状の曲線ａ，ｂの軌道面１１，９をそのまま延長させた面に比べて傾斜が大きくて、ある程度の傾斜角度が確保できる。そのため、補助軌道面１１ａ，９ａは、研削加工するときに砥石側面で加工する状態とはならない。このため、研削加工の加工時間の増加が避けられる。従って、外輪４の内径、および内輪２の外径を、研削加工限界にかかわらず設定することができる。
【００３７】
また、各軌道面１１，９には、補助軌道面１１ａ，９ａの縁部に続く断面円弧状の面取り部１１ｂ，９ｂが形成されているので、接触楕円のエッジロードがより一層緩和される。すなわち、基本的には補助軌道面１１ａ，９ａのみでカバーすることができる。しかし、さらに大きなモーメント荷重が負荷されて接触角θが大きくなった場合でも、面取り部１１ｂ，９ｂによりエッジロードが緩和される。
【００３８】
なお、各軌道面１１，９における補助軌道面１１ａ，９ａの断面形状は、前述の直線に代えて曲線としてもよい。その場合、軌道面１１，９の断面を構成する円弧状の曲線ａ，ｂよりも曲率の大きな曲線とする。この場合も、接触楕円のエッジロードの発生を防止することができ、各軌道面１１，９の研削加工において、加工時間が増加することはない。
【００３９】
なお、以上の各実施形態では、二世代あるいは三世代の車輪用軸受装置に適用した場合について説明したが、四世代の車輪用軸受装置にも適用可能である。この四世代の車輪用軸受装置は、複列の軌道面のうちのアウトボード側に位置する一方の内側軌道面をハブ輪に形成し、インボード側に位置する他方の内側軌道面を、ハブ輪の端部に突き合わされた等速自在継手の外側継手部材の肩部に形成した構造を具備する。
【図面の簡単な説明】
【００４０】
【図１】本発明の実施形態で、三世代の車輪用軸受装置を示す断面図である。
【図２】外輪の軌道面を研削仕上げする要領を説明するためのもので、（ａ）は実施形態における外輪および加工砥石を示す断面図、（ｂ）は従来の外輪および加工砥石を示す断面図である。
【図３】ハブ輪の軌道面を研削仕上げする要領を説明するためのもので、（ａ）は実施形態におけるハブ輪および加工砥石を示す断面図、（ｂ）は従来のハブ輪および加工砥石を示す断面図である。
【図４】本発明の他の実施形態で、二世代の車輪用軸受装置（内輪回転タイプ）を示す断面図である。
【図５】本発明の他の実施形態で、二世代の車輪用軸受装置（外輪回転タイプ）を示す断面図である。
【図６】図１の実施形態において、軌道面の縁部に補助軌道面を設けた車輪用軸受装置を示す断面図である。
【図７】図４の実施形態において、軌道面の縁部に補助軌道面を設けた車輪用軸受装置を示す断面図である。
【図８】図５の実施形態において、軌道面の縁部に補助軌道面を設けた車輪用軸受装置を示す断面図である。
【図９】図６のインボード側に位置する軌道面を示す部分拡大断面図である。
【符号の説明】
【００４１】
１  内方部材（ハブ輪）
２  内方部材（内輪）
３  転動体
４  外方部材（外輪）
５，９，１０，１１  軌道面
９ａ，１１ａ  補助軌道面
１６，１７，１８  硬化層
２１  肩部
２２  内径面
２８  軌道面の近接部位
２９  外径面
【図１】
2005325903.tif 000003
【図２】
2005325903.tif 000004
【図３】
2005325903.tif 000005
【図４】
2005325903.tif 000006
【図５】
2005325903.tif 000007
【図６】
2005325903.tif 000008
【図７】
2005325903.tif 000009
【図８】
2005325903.tif 000010
【図９】
2005325903.tif 000011